(57)【特許請求の範囲】
【請求項１】
上位装置に接続され、挿入口から媒体を吸入する動作、媒体上に記録された情報の読み取り動作及び、媒体への印字の動作とを行なう印字装置において、利用者が媒体を挿入口に挿入すると、前記上位装置が前記印字装置に対して送信する前記吸入する動作及び読み取り動作を指示するコマンドの受信に先行して、これらの動作を行い、該動作が完了した後、上位装置から前記動作を指示するコマンドを受信したときに、前記吸入の動作及び読み取り動作の結果を上位装置に通知することを特徴とする印字装置。
【発明の詳細な説明】
【０００１】
【発明の属する技術分野】
この発明は、金融機関において、テラーの操作により通帳に取引情報を印字するオンライン端末装置に関するもので、特に通帳などの媒体に印字を行なう印字装置に関するものである。
【０００２】
【従来の技術】
金融機関には、ホストコンピュータとの間で交信し、通帳や伝票などの媒体に取引内容を印字するオンライン端末装置が設置されている。そして、このようなオンライン端末装置は、通帳や伝票に印字を行なう通帳伝票プリンタやこれを制御する制御装置などから構成されている。
ここで、通帳伝票プリンタは、テラーがセットした通帳を吸入し、通帳に付された磁気ストライプ及び開かれたページのページマークを順次読取った後、取引金額等の取引情報を印字するが、これら通帳伝票プリンタの各動作は、それぞれ通帳伝票プリンタを制御する制御装置からの動作指示コマンドの発行に応じて行われる。
【０００３】
【発明が解決しようとする課題】
しかし、通帳の吸入動作や磁気ストライプの読取り動作、ページマークの読取り動作、及び印字部への通帳の搬送動作などは、モータや各種アクチュエータの動作を伴なうため、高速化を図る上でも限界があり、通帳の取引処理に時間がかかる１つの要因となっていた。
【０００４】
【課題を解決するための手段】
本発明の印字装置は、上位装置に接続され、上位装置からのコマンドに応じて媒体の吸入や媒体への印字処理を行なう印字装置において、媒体吸入や媒体上に記録された情報の読み取り等を指示するコマンドを受信する前に媒体が挿入された場合に、媒体吸入動作や媒体上に記録された情報の読み取り動作等を先行して行い、上位装置からこれら動作を指示するコマンドを受信したときに、その結果を上位装置に通知することを特徴とする。
また、本発明のオンライン端末装置は、口座情報を記録したホストと通信して、取引処理を行なうオンライン端末装置において、通帳に取引内容を印字する通帳プリンタと、前記ホストと通信し、前記通帳プリンタに各種処理コマンドを送信する制御装置とを有し、前記通帳プリンタは、通帳吸入や通帳の磁気ストライプの読み取り等を指示するコマンドを受信する前に通帳が挿入された場合に、通帳吸入動作や磁気ストライプの読み取り動作等を先行して行い、制御装置からこれら動作を指示するコマンドを受信したときに、その結果を制御装置に通知することを特徴とする。
【０００５】
本発明では、上述のように上位装置からの動作指示コマンドを受信する前に、通帳などの媒体が挿入された場合に、媒体吸入、磁気ストライプ読み取り等の各種動作を先行して行い、後に上位装置から動作指示コマンドを受信した場合には、先行して行なった動作の結果（読み取りデータ等含む。）を上位装置にレスポンスとして返送する。このように、メカニカルな動作を先行して行なうことにより、取引処理の高速化が図れる。
【０００６】
【発明の実施の形態】
以下、図面を参照して、本発明の実施の形態を説明する。
第1の実施の形態
図１は、実施の形態のオンライン端末装置のブロック図である。このオンライン端末装置１は、制御装置２を中心に、対ホストインターフェース部３、キーボード４、ＣＲＴディスプレイ５、磁気ディスク装置６、及び通帳伝票プリンタ７を備えている。
【０００７】
ここで、制御装置２は、マイクロプロセッサ、メモリ、タイマ及びＩ／Ｏポートにより構成され、そのメモリ上に常駐するソフトウェアをマイクロプロセッサが解読実行することにより全体を制御し、対ホストインタフェース部３は、図示せぬホストコンピュータとの間の通信を制御し、キーボード４は、テラーが操作入力した各種情報を制御装置２に入力し、ＣＲＴディスプレイ５は、制御装置２で処理された各種情報を表示し、さらに、磁気ディスク装置６は、オンライン端末装置を処理するためのプログラムや取引画面情報などを記憶する。また、通帳伝票プリンタ７は、通帳や伝票に取引情報を印字する。
【０００８】
図２は、第1の実施の形態における通帳伝票プリンタの概略断面図であり、右側面から見た透視状態を示している。
本通帳伝票プリンタは、通帳・伝票のそれぞれをセットするインサータを上下2段に配置しており、上段側が伝票をセットするための伝票インサータ７１、下段側が通帳をセットするための通帳インサータ７２である。また、７３は通帳・伝票に印字を行なう印字ヘッドであり、図示せぬ駆動手段により、通帳等の幅方向に移動しながら口座情報を印字するようになっている。また、７４は通帳に付された磁気ストライプ上に記録された口座情報を読取るためのＭＳヘッドであり、ＭＳヘッドは図示せぬ駆動手段により通帳の搬送方向に移動するようになっており、磁気ストライプへの読み書きを行なう際には、通帳をＭＳヘッドの位置に位置付けた後、ＭＳヘッドを移動して磁気の読み取り、書込みを行なう。
【０００９】
７５は通帳の各ページに印刷され各通帳のページを表すページマークを読み取るページマークセンサである。なお、本実施の形態においては、ページマークセンサを固定し、通帳を搬送しながらページマークの印刷画像を取得し、その印刷画像から何ページ目が開かれているかを認識するようになっている。また、７６〜８０は、通帳、伝票を各部へ搬送するための搬送ローラであり、８１、８２は挿入された通帳・伝票を検出するためのセンサである。なお、図示しないが、これら以外にも搬送路各部に通帳類の位置を監視するためのセンサを設けている。また、８３は排出キーであり、後述するように各インサータ部にセットされ吸入された通帳類を排出する際に押下するためのものである。
【００１０】
次に、図３を用いて通帳インサータ部において挿入された媒体種を識別するための構成について説明する。
図において、８４はテラーがセットしたテラーによりセットされた通帳であり、８２ａ〜８２ｅは、前述したセンサである。ここで、８２ａは通帳インサータ７２に媒体が挿入されたことを検知するための挿入検知センサ、８２ｂは最小媒体が挿入されたことを検知するための最小媒体検知センサ、８２ｃは通帳が挿入されたことを検知するための通帳検知センサ、８２ｄはＢ５証書が挿入されたことを検知するＢ５証書検知センサ、８２ｅはＡ４証書が挿入されたことを検知するＡ４証書検知センサである。また、７７は前述した搬送ローラであり、テラーが通帳をセットする際には通帳がセンサ８２ａ〜８２ｅで検出できるように、上下の搬送ローラが所定の間隔に開かれた状態となっている。
【００１１】
図において、テラーが通帳インサータのステージ上に通帳をセットするとともに、ステージ左側に設けられた媒体突き当て面に通帳を突き当てながら通帳を挿入すると、前述したセンサ８２により挿入された媒体が通帳が否かが判断される。具体的には、センサ８２ａ〜８２ｃがオン（媒体ありを検出した状態）であり、センサ８２ｄがオフ（媒体なしを検出した状態）であれば、通帳が挿入されたと検出する。
【００１２】
次に、図４を用いて本実施の形態における通帳伝票プリンタのハードウェア構成を説明する。図４は通帳伝票プリンタのブロック図を示したもので、８６は通帳伝票プリンタの各部を制御するＣＰＵ、８７はＣＰＵが動作するためのプログラム等を格納するメモリ、８８はモータ８９やマグネット９０等を制御して通帳・伝票の搬送などを制御する搬送制御部、９１はセンサ８１、８２の出力を検出するセンサ検出回路、９２は印字ヘッド７３を制御して印字制御を行なう印字制御回路、９３はＭＳヘッド７４の駆動やＭＳヘッドで読取った磁気データの変換等を行なうＭＳヘッド制御回路、９４はページマークセンサ７５を制御してページマークを読み取るページマークセンサ制御回路、９５は通帳伝票プリンタの前面に設けられた排出キーが押下されたことを検知する排出キー検出回路、９６は、制御装置２との間の通信を制御する通信Ｉ／Ｆである。
【００１３】
次に、図５及び図１乃至図４を用いてこのような通帳伝票プリンタの動作について説明する。
図５は、制御装置２と通帳伝票プリンタ６の処理シーケンスを説明する図であり、順次、テーラの操作、制御装置２と通帳伝票プリンタ６間のコマンド／レスポンス、及び通帳伝票プリンタ６の動作に着目して説明する。
【００１４】
まず、例えば入金を希望する顧客が通帳と伝票をテラーに渡した場合、テラーは通帳を通帳伝票プリンタ６の通帳インサータ７２に挿入するとともに、伝票を伝票インサータ７１に挿入し、その後、キーボード４に入金取引の取引番号を入力する。
ここで、通帳伝票プリンタ６は、通帳インサータ７２に通帳が挿入されたことをセンサ８２ａで検出すると、制御装置２からのコマンドを待つことなく、自動的に通帳吸入動作、磁気ストライプリード動作、及びページマークリード動作を行い通帳を印字部へと搬送する。以下、各動作の詳細を説明する。
【００１５】
（ａ）通帳吸入動作
テラーが通帳インサータ７２に通帳を挿入したことを、センサ８２ａで検出すると、ＣＰＵ８６は搬送制御回路８８を介してマグネット９０により上側の搬送ローラ７７を下方向に移動して通帳をクランプし固定する。次に、ＣＰＵ８６はセンサ８２ａ〜８２ｅの出力から挿入された媒体が通帳か否かを判断する。挿入された媒体が通帳の場合には、搬送ローラ７７を駆動して通帳を吸入する。なお、挿入された媒体が通帳でないと判断した場合には、後述する磁気ストライプリード動作及びページマークリード動作を行なわずに、媒体の１行目位置へ媒体を搬送する。
また、テラーが誤って媒体を挿入した場合には、装置前面に設けられた排出キー８３をテラーが押下することによりＣＰＵは搬送ローラ７７を駆動して媒体を通帳インサータへ排出する。なお、後述するように通帳伝票プリンタ７が吸入コマンドを受信した後は、制御装置２とのインターフェースが確立しており誤操作防止のため、排出キーを無効とする。
【００１６】
（ｂ）磁気ストライプリード動作
ＣＰＵ８６は吸入した通帳をＭＳヘッド７４のところまで搬送し、通帳の磁気ストライプに記録された口座情報や通帳の印字済み頁・行情報等を読取り、その内容をメモリ８７に記憶する。
【００１７】
（ｃ）ページマークリード動作
ＣＰＵ８６は、磁気ストライプから読取った通帳の印字済み行に関する情報に基づき、今回の取引内容を印字すべき行位置を印字ヘッドに位置付けるべく、通帳をＭＳヘッドの位置から印字ヘッドの位置まで搬送する。この搬送の際に、ＣＰＵはページマークセンサにより通帳に付されたページマークを読取り、開かれたページが今回の取引内容を印字すべきページであるか否かを確認する。ここで、開かれているページが正しくない場合には、印字ヘッド７３の後段に位置する図示せぬ通帳のページめくり部において通帳のページめくりを行い、正しいページを開いた後印字ヘッドに位置付ける。
【００１８】
また、オペレータは、通帳伝票プリンタ７が上記各動作を自動で行なっているのと平行して、キーボードを操作して入金処理に必要な情報を入力設定する。
即ち、オペレータは取引を選択するためのメニュー画面において、入金取引に該当する取引番号をキー入力する。これにより、制御装置２は入力された取引番号をキーに磁気ディスク装置６に記憶されている取引制御ブロックを検索し、入力された取引番号に対応する取引制御ブロックを選択する。そして、制御装置２は、選択された取引制御ブロックのガイダンス画面情報に従って、ＣＲＴディスプレイ５に入力ガイダンス画面を表示する。この入力ガイダンス画面に従って、テラーは入金取引に必要な情報を順次入力する。
テラーが必要な情報を入力した後送信キーを押下すると、制御装置は入力した情報をホストに送信し、この応答として、ホストから通帳や伝票に印字すべき印字データ等が送られてくる。
【００１９】
図７において、制御装置２は、ホストから印字データを受信すると通帳伝票プリンタ７に対して、順次、通帳吸入コマンド、磁気ストライプリードコマンド及びページマークリードコマンドを送信する。これを受けた通帳伝票プリンタ７は既に通帳吸入動作、磁気ストライプリード動作、及びページマークリード動作を完了しているので、即時にこれらのレスポンスを返送する。なお磁気ストライプリードコマンド及びページマークリードコマンドに対しては、それぞれ読取ったデータを付加してレスポンスを返送する。
【００２０】
ページマークリードレスポンスを受信した制御装置２は、通帳のページが正しいか否か判断し（必要であればホストに問合せてホストの判断を仰ぎ）、印字すべきページでないと判断した場合には、通帳伝票プリンタ７に対して、ターンページコマンドを送信する。これを受信した通帳伝票プリンタ７は、図２において印字ヘッド７３の後段に設けられた図示せぬページ捲り部において、制御装置２から指示されたページまでページ捲りをおこなった後、制御装置２に対して、ターンページレスポンスを返送する。
【００２１】
制御装置２は、続いてホストから受信した印字データを付加して通帳伝票プリンタ７に印字コマンドを送信する。通帳伝票プリンタ７は、印字コマンドに付加された印字データを通帳に印字し、印字レスポンスを返送する。
制御装置２は、続いて通帳の磁気ストライプの更新データを付加して通帳伝票プリンタ７に磁気ストライプライトコマンドを送信し、通帳伝票プリンタ７は通帳をＭＳヘッド７４に位置づけ磁気ストライプの内容を更新し、更新した内容を確認した後、その結果を磁気ストライプライトレスポンスとして制御装置２に返送する。
【００２２】
制御装置２は、続いて通帳伝票プリンタ７に対して排出コマンドを送信し、通帳伝票プリンタ７はこれを受けて搬送ローラ７７を駆動して通帳を通帳インサータ７２に排出する。
【００２３】
なお、上記説明では、制御装置２から通帳吸入コマンドが送信される前に、ページマークリード動作まで完了した場合について説明したが、この場合に限られず、コマンドを受信した時点で、通帳伝票プリンタが動作完了している場合には即時にレスポンスを返送し、完了していない場合には、完了した後にレスポンスを返送するようにすればよい。
【００２４】
第２の実施の形態
図６を用いて、第2の実施の形態を説明する。
上述した第1の実施の形態においては、テラーが通帳を挿入すると、制御装置２から何の動作指示コマンドが送信されていない場合であっても、通帳を吸入するようにし、もし、誤って媒体を吸入させてしまった場合には、排出キー８３を押下して媒体を排出するようにしていた。
【００２５】
これに対して、本第2の実施の形態においては、動作指示コマンドが送信される前に通帳が挿入された場合に、制御装置２から処理開始の指示であるところの通帳吸入コマンドが送信されるのを待って、通帳を吸入し、以降の各動作については、各動作指示コマンドが送信されなくとも、順次先行して動作を行なうようにしたものである。なお、通帳吸入動作以降の動作については、第１の実施の形態と同様であるので省略する。
本実施の形態においては、制御装置からの通帳吸入コマンドを受信した後に、先行動作を行なうので、媒体を誤挿入した場合のために、排出キーを設ける必要がない。
【００２６】
【発明の効果】
以上詳述したようにこの発明によれば、上位装置からの動作指示コマンドを受信する前に、通帳などの媒体が挿入された場合に、媒体吸入、磁気ストライプ読み取り等の各種動作を先行して行い、後に上位装置から動作指示コマンドを受信した場合には、先行して行なった動作の結果（読み取りデータ等含む。）を上位装置にレスポンスとして返送する。このように、メカニカルな動作を先行して行なうことにより、取引処理の高速化が図れる。
【図面の簡単な説明】
【図１】本発明のオンライン端末システムのブロック図である。
【図２】本発明の第1の実施の形態における通帳伝票プリンタの概略断面図である。
【図３】通帳インサータ部説明図である。
【図４】本発明の第1の実施の形態における通帳伝票プリンタのブロック図である。
【図５】本発明の第1の実施の形態における処理シーケンス説明図である。
【図６】本発明の第２の実施の形態における処理シーケンス説明図である。
【符号の説明】
１  オンライン端末システム
２  制御装置
３  対ホストインタフェース部
４  キーボード
５  ＣＲＴディスプレイ
６  磁気ディスク装置
７  通帳伝票プリンタ
【図１】
0004641579.tif 000002
【図２】
0004641579.tif 000003
【図３】
0004641579.tif 000004
【図４】
0004641579.tif 000005
【図５】
0004641579.tif 000006
【図６】
0004641579.tif 000007